(57)【要約】【課題】比較的簡易な構造でベッドの形態とソファーの形態との間で切り替えが可能となる家具の提供。【解決手段】家具は、第１方向の両側に第１側板、第２方向の第１側に第２側板、及び、第２側に張り出した水平面を形成する水平台を有する本体と、本体に対して、上面視で水平台と重なる第１位置と、第１位置より第２側である第２位置第２位置との間で第２方向にスライド可能な床板部と、床板部に載置された載置状態において、水平台における第２方向の第２側の側面の下端より下側に上側表面が延在するマットレス部と、床板部が第１位置にある状態において、水平台の側面に当接される態様でマットレス部に載置可能であるクッション部材とを含み、床板部が第２位置にある状態において、水平台の水平面より下側に、クッション部材が収納可能でありかつ載置状態のマットレス部に第２方向に接する空間が形成され、床板部が第１位置にある状態において、空間に載置状態のマットレス部の一部が収納される。【選択図】図５Ａ
2018175731.tif 000002
【特許請求の範囲】
【請求項１】
第１方向の両側に第１側板、前記第１方向及び上下方向に垂直な方向である第２方向の第１側に第２側板、及び、前記第２側板から前記第２方向の前記第１側とは逆側の第２側に張り出した水平面を形成する水平台を有する本体と、
前記本体に対して、上面視で前記水平台と重なる第１位置と、前記第１位置より前記第２側である第２位置との間で前記第２方向にスライド可能な床板部と、
前記床板部に載置可能であるマットレス部と、
前記床板部が前記第１位置にある状態において、前記水平台に前記第２方向に当接される態様で前記マットレス部に載置可能であるクッション部材とを含み、
前記マットレス部の上側表面は、前記床板部に載置された載置状態において、前記水平台における前記第２方向の前記第２側の側面の下端より下側に延在し、
前記床板部が前記第２位置にある状態において、前記水平台の水平面より下側に、前記クッション部材が収納可能でありかつ前記載置状態の前記マットレス部に前記第２方向に接する空間が形成され、
前記床板部が前記第１位置にある状態において、前記空間に、前記載置状態の前記マットレス部の前記第２方向の前記第２側の一部が収納される、家具。
【請求項２】
前記クッション部材は、前記空間に所定姿勢で収納可能であり、
前記空間における前記所定姿勢での前記クッション部材の上端は、前記載置状態の前記マットレス部の上側表面より上側に位置する、請求項１に記載の家具。
【請求項３】
前記マットレス部及び前記クッション部材は、表面素材が同一である、請求項２に記載の家具。
【請求項４】
前記マットレス部は、スプリングコイル内蔵型であり、スプリングコイルより上側にウレタン材料の部位を含む、請求項１に記載の家具。
【請求項５】
前記クッション部材は、前記空間に所定姿勢で収納可能であり、
前記床板部が前記第２位置にある状態において、前記空間における前記所定姿勢での前記クッション部材の前記第２方向の長さは、前記第２側板と前記載置状態の前記マットレス部との間の長さに略等しい、請求項１に記載の家具。
【請求項６】
前記床板部が前記第２位置にある状態は、前記載置状態の前記マットレス部又は前記床板部が前記空間における前記所定姿勢での前記クッション部材に前記第２方向で接する状態であり、
前記床板部が前記第２位置にある状態において、前記空間における前記所定姿勢での前記クッション部材の前記第２方向の長さは、前記水平台の前記第２方向の長さに略等しい、請求項５に記載の家具。
【請求項７】
前記本体は、前記床板部をスライド可能に支持する、請求項１に記載の家具。
【請求項８】
前記本体は、前記第１方向で前記第１側板の間の位置に、前記第２方向に延在する１つ以上の第１支持部材を更に有し、
前記第１支持部材は、前記床板部の下側表面をスライド可能に支持する、請求項７に記載の家具。
【請求項９】
前記本体は、前記第１側板に取り付けられる第２支持部材と、前記第２方向の前記第２側の端部に設けられ前記第１方向に延在する第３支持部材とを更に有し、
前記第２支持部材及び前記第３支持部材は、それぞれ、前記床板部の下側表面をスライド可能に支持する、請求項８に記載の家具。
【請求項１０】
前記床板部は、下側表面に、前記第２側板に平行に延在する第４支持部材を有し、
前記第４支持部材は、前記床板部における前記第２方向の前記第２側の縁部に対して前記第１側にオフセットした位置に設けられ、
前記床板部は、下側表面における前記第４支持部材より前記第２方向の前記第２側に、凸部を更に有する、請求項９に記載の家具。
【請求項１１】
前記本体は、前記第１位置と、前記第２位置より前記第２方向の前記第２側の第３位置との間で前記床板部をスライド可能に支持し、
前記床板部は、下側表面に下方に突出する係止部を有し、
前記係止部は、前記床板部が前記第３位置にある状態において、前記第３支持部材に前記第２方向で当接することで、前記床板部の前記第２方向の前記第２側へのスライドを係止する、請求項９又は１０に記載の家具。
【請求項１２】
前記クッション部材は、前記空間に所定姿勢で収納可能であり、
前記床板部が前記第３位置にある状態において、前記水平台の前記側面と前記載置状態の前記マットレス部との間には、前記所定姿勢での前記クッション部材の前記第２方向の長さ以上の隙間が形成される、請求項１１に記載の家具。
【請求項１３】
前記第１支持部材は、前記第２側板に前記第２方向で当接し、前記空間における下側を前記第１方向で所定間隔で仕切り、
前記クッション部材は、前記第１支持部材の数より１つだけ多い数で設けられ、前記クッション部材のそれぞれは、前記第１方向の長さが前記所定間隔に対応する、請求項１１又は１２に記載の家具。
【請求項１４】
第１方向の両側に第１側板、前記第１方向及び上下方向に垂直な方向である第２方向の第１側に第２側板、及び、前記第２側板から前記第２方向の前記第１側とは逆側の第２側に張り出した水平面を形成する水平台を有する本体と、
前記本体に対して、上面視で前記水平台と重なる第１位置と、前記第１位置より前記第２側である第２位置との間で前記第２方向にスライド可能な床板部であって、マットレス部が載置可能な床板部とを含み、
前記床板部が前記第２位置にある状態において、前記水平台の水平面より下側に、前記床板部に載置された前記マットレス部に前記第２方向に接する空間が形成される、ベッドソファー本体。
【発明の詳細な説明】
【技術分野】
【０００１】
本開示は、家具及びベッドソファー本体に関する。
【背景技術】
【０００２】
椅子に切り換え可能なベッドの収納構造に関して、キャビネットの側板をスライド可能かつ回動可能に構成する技術が知られている。かかる収納構造では、ユーザは、椅子に切り換える場合にはキャビネット内から背凭れを取出しかつベッド本体の一部をキャビネット内に押入れ、ベッドに切り換える場合にはキャビネット外にベッド本体を引き出しかつキャビネット内に背凭れを収納できる。
【先行技術文献】
【特許文献】
【０００３】
【特許文献１】特開２００７−０６８８３３号公報
【発明の概要】
【発明が解決しようとする課題】
【０００４】
しかしながら、上記のような従来技術では、キャビネットの側板が可動部位となるので、比較的複雑な構造となる。即ち、キャビネットの側板をスライド可能かつ回動可能とする機構（例えばピニオンギアや、ラックギア、回動軸等）に起因して、構造が比較的複雑である。キャビネットの構造が比較的複雑となると、部品点数やコストの増大を招くほか、キャビネット内における空間（例えば背凭れの収納用の空間）の確保が難しくなり、キャビネットの大型化等を招く虞もある。
【０００５】
そこで、１つの側面では、本発明は、比較的簡易な構造でベッドの形態とソファーの形態との間で切り替えが可能となる家具及びベッドソファー本体の提供を目的とする。
【課題を解決するための手段】
【０００６】
１つの側面では、第１方向の両側に第１側板、前記第１方向及び上下方向に垂直な方向である第２方向の第１側に第２側板、及び、前記第２側板から前記第２方向の前記第１側とは逆側の第２側に張り出した水平面を形成する水平台を有する本体と、
前記本体に対して、上面視で前記水平台と重なる第１位置と、前記第１位置より前記第２側である第２位置との間で前記第２方向にスライド可能な床板部と、
前記床板部に載置可能であるマットレス部と、
前記床板部が前記第１位置にある状態において、前記水平台に前記第２方向に当接される態様で前記マットレス部に載置可能であるクッション部材とを含み、
前記マットレス部の上側表面は、前記床板部に載置された載置状態において、前記水平台における前記第２方向の前記第２側の側面の下端より下側に延在し、
前記床板部が前記第２位置にある状態において、前記水平台の水平面より下側に、前記クッション部材が収納可能でありかつ前記載置状態の前記マットレス部に前記第２方向に接する空間が形成され、
前記床板部が前記第１位置にある状態において、前記空間に、前記載置状態の前記マットレス部の前記第２方向の前記第２側の一部が収納される、家具が提供される。
【発明の効果】
【０００７】
１つの側面では、本発明によれば、比較的簡易な構造でベッドの形態とソファーの形態との間で切り替えが可能となる家具及びベッドソファー本体が得られる。
【図面の簡単な説明】
【０００８】
【図１】一実施例による家具をソファーの形態で示す斜視図である。
【図２】ベッドの形態の家具を示す斜視図である。
【図３】中間状態での家具を示す斜視図である。
【図４】図１に示すソファーの形態の家具の概略的な断面図である。
【図５Ａ】図２に示すベッドの形態の家具の概略的な断面図である。
【図５Ｂ】図５Ａにおいて収納空間内にメインクッションがない状態を示す図である。
【図６】図３に示す中間状態の家具の概略的な断面図である。
【図７】メインクッションの３面図である。
【図８Ａ】比較例による家具の概略説明図である。
【図８Ｂ】比較例による家具の概略説明図である。
【図８Ｃ】比較例による家具の概略説明図である。
【図９】ベッドソファー本体の斜視図である。
【図１０】ベッドソファー本体の斜視図である。
【図１１】ベッドソファー本体の斜視図である。
【図１２】スライド床板の下側を視る斜視図である。
【図１３】ベッドソファー本体の詳細を示す３面図である。
【図１４】スライド床板の手前側の部位の説明図である。
【図１５Ａ】本体の一部を分解した説明図である。
【図１５Ｂ】本体の一部を分解した説明図である。
【図１６】マットレスの内部構造を示す断面図である。
【図１７】コイル層のコイル配列を概略的に示す説明図である。
【図１８】コイル層の外周の角部の構成の詳細の一例を示す図である。
【発明を実施するための形態】
【０００９】
以下、添付図面を参照しながら各実施例について詳細に説明する。
【００１０】
図１乃至図３は、一実施例による家具１を概略的に示す斜視図であり、図１は、ソファーの形態の家具１を示し、図２は、ベッドの形態の家具１を示す。図３は、ソファーの形態とベッドの形態との間の遷移の際の中間状態での家具１を示す。図３では、スライド床板２０をさらに手前側に引き出している状態が示される。尚、図２及び図３には、収納空間７０にメインクッション４０が収納された状態が示される。
【００１１】
図１及び図２には、直交する３軸であるＸ、Ｙ、及びＺ軸が示される。Ｘ方向（第１方向の一例）及びＹ方向（第２方向の一例）は、水平面内にあり、Ｚ方向は、上下方向に対応する。Ｙ方向は、後述のスライド床板２０のスライド方向に対応し、以下では、説明上、Ｙ方向の正側を「奥側」（第１側の一例）とし、Ｙ方向の負側を「手前側」（第２側の一例）とする。
【００１２】
家具１は、図１及び図２に示すように、ベッドの形態とソファーの形態との間で切り替えが可能な機能性家具である。従って、ユーザは、家具１をベッドとして使用することや、家具１をソファーとして使用することができる。
【００１３】
家具１は、ユーザの住居などに設置される。家具１の使い方は任意であるが、例えば、家具１は、ソファーの形態をとることができるので、住居のリビングルームに設置することにも好適である。この場合、家具１をベッドの形態に切り換えると、リビングルーム内のベッドとして利用することも可能である。また、逆に、家具１は、住居の寝室に設置することにも好適である。この場合、家具１をソファーの形態に切り換えると、寝室内のソファーとして利用することも可能である。
【００１４】
家具１は、本体１０と、スライド床板２０（床板部の一例）と、マットレス３０（マットレス部の一例）と、背凭れ用のメインクッション４０（クッション部材の一例）と、サブクッション５０とを含む。
【００１５】
次に、図４乃至図７を更に参照しながら、家具１の詳細を説明する。図４は、図１に示すソファーの形態の家具１の概略的な断面図であり、ある位置（ここでは、後述の凸部２４０を通る位置）でＹＺ平面で切断した際の断面図である。図５Ａは、図２に示すベッドの形態の家具１の概略的な断面図であり、図４と同じ位置でＹＺ平面で切断した際の断面図である。図５Ｂは、図５Ａにおいて収納空間７０内にメインクッション４０がない状態を示す図である。図６は、図３に示す中間状態の家具１の概略的な断面図であり、図４と同じ位置でＹＺ平面で切断した際の断面図である。図７は、１つのメインクッション４０の３面図である。
【００１６】
本体１０は、例えば木材により形成される。本体１０は、家具１の設置場所において、設置場所の床面（例えばフローリングやカーペットにより形成される床面）に支持される。本体１０は、床面に対して、可動でない要素である。即ち、本体１０自体は、後述のスライド床板２０とは異なり、機能的な動きが不能であり、実質的に床面に対して固定的な要素である。例えば、家具１は、本体１０の奥側が設置場所の壁にＹ方向で当接する態様で設置されてよい。
【００１７】
本体１０は、Ｘ方向の両側に第１側板１１と、奥側に第２側板１２と、水平台１４とを含む。
【００１８】
第１側板１１は、図１等に示すように、床面から所定高さＨ１まで延在する。第１側板１１は、家具１がソファーの形態であるとき、ソファーに着座するユーザにとって左右側に位置することになる。このとき、第１側板１１は、肘掛けとして機能しうる。例えば図１に示す例では、両側の第１側板１１にはサブクッション５０が立て掛けられている。第１側板１１は、家具１がベッドの形態であるとき、ベッドに横たわるユーザにとって頭部側と脚部側に位置することになる。このとき、頭部側の第１側板１１は、枕を斜めに支持する部位として機能しうる。例えば図２に示す例では、一方側の第１側板１１には、枕として機能しうる２つのサブクッション５０がＹ方向に並んで立て掛けられている。
【００１９】
第２側板１２は、Ｘ方向両側の第１側板１１の間に延在する。第２側板１２は、家具１がソファーの形態であるとき、ソファーに着座するユーザにとって背中側に位置することになる。また、第２側板１２は、家具１がベッドの形態であるとき、ベッドに横たわるユーザにとって左右の一方側に位置することになる。
【００２０】
第２側板１２は、家具１の設置の仕方によっては可視となりうるため、好ましくは、Ｘ方向両側の第１側板１１の間及び床面から所定高さＨ２（図１や図４参照）まで全体にわたり延在する。所定高さＨ２は、図１や図４に示すように、第１側板１１の所定高さＨ１と同じであってもよい。ただし、変形例では、第２側板１２は、穴や切欠きなどが形成されてもよい。例えば、第２側板１２は、後述の水平台１４の高さ範囲だけ延在する態様であってもよい。即ち、第２側板１２は、後述の水平台１４の奥側の板材として形成されてもよい。
【００２１】
水平台１４は、第２側板１２から手前側に張り出した形態である。水平台１４は、奥側が第２側板１２に取り付けられるが、第２側板１２に一体的に形成されてもよい。また、水平台１４は、Ｘ方向両側の第１側板１１の間に延在し、Ｘ方向の両側が第１側板１１に取り付けられる。但し、水平台１４は、Ｘ方向両側の第１側板１１の間の一部にわたり設けられてもよい。
【００２２】
水平台１４は、棚ないしテーブル（以下、「棚」で代表する）として機能する。即ち、水平台１４は、物を載置できる棚として機能する。例えば、水平台１４には、照明器具や、飲料水、時計、リモートコントローラ、携帯端末、書籍などが載置されてもよい。水平台１４は、家具１がソファーの形態であるとき、ソファーに着座するユーザにとって背中側に位置することになる。従って、ユーザは、背後の棚に、必要な物を載置でき、利便性が向上する。また、第２側板１２は、家具１がベッドの形態であるとき、ベッドに横たわるユーザにとって左右の一方側に位置することになる。従って、ユーザは、横の棚に、必要な物を載置でき、利便性が向上する。
【００２３】
水平台１４は、図４乃至図６に示すように、第１板状部１４１と、第２板状部１４２と、第３板状部１４３とを含む。第１板状部１４１は、水平台１４の水平面を形成し、水平面は、物が載置される載置面（棚の載置面）として機能できる。第２板状部１４２は、水平台１４の手前側の側面を形成する。第３板状部１４３は、水平台１４の中央部に設けられ、ＹＺ面内に延在する。第３板状部１４３は、第１板状部１４１及び第２板状部１４２の裏側（後述の収納空間７０側）の表面に結合されることで、水平台１４の強度及び剛性を確保する機能を有する。尚、変形例では、第３板状部１４３は、Ｘ方向の異なる位置に複数設けられてもよいし、省略されてもよい。
【００２４】
水平台１４の第２板状部１４２の上端部は、図４乃至図６に示すように、第２側板１２の上端部とともに、第１板状部１４１より上側まで延在する。これにより、水平台１４の水平面（載置面）の奥側及び手前側の双方に壁を形成できるので（Ｘ方向に視て凹状になるので）、水平台１４に載置された物が手前側又は奥側へ移動しても容易に落下してしまうことを防止できる。但し、変形例では、第２板状部１４２の上端部及び第２側板１２の上端部のうちのいずれか一方のみが、第１板状部１４１より上側まで延在する構成であってもよい。
【００２５】
水平台１４は、図５Ｂに示すように、床面より所定高さＨ３の位置から上側に延在する。水平台１４より下側は、収納空間７０（図５Ｂ参照）として機能する。
【００２６】
収納空間７０は、図５Ａ及び図５Ｂに示すように、家具１がベッドの形態であるとき、水平台１４より下側に形成される。家具１がベッドの形態であるとき、収納空間７０には、図５Ａに示すように、メインクッション４０が収納可能である。尚、家具１がソファーの形態であるとき、水平台１４より下側には、図４に示すように、マットレス３０の一部（奥側の一部）が挿入されており、収納空間７０はマットレス３０の一部の収納空間としても機能している。
【００２７】
尚、メインクッション４０は、水平台１４内の空間１４４（図５Ａ参照）を更に利用して収納される形態であってもよい。水平台１４内の空間１４４とは、第１板状部１４１及び第２板状部１４２の裏側（後述の収納空間７０側）に形成されかつＸ方向で第３板状部１４３により仕切られる空間である。この場合、水平台１４内の空間１４４は、収納空間７０と協動して、メインクッション４０が収納可能な空間を形成する。尚、水平台１４内の空間１４４を利用してメインクッション４０を収納する場合は、メインクッション４０の高さ（図７のＨ５参照）は、所定高さＨ３よりも高くなる。
【００２８】
スライド床板２０は、本体１０に対してＹ方向にスライド可能である。スライド床板２０は、家具１がソファーの形態となる図１に示す第１位置（以下、「ソファー位置」と称する）と、家具２がベッドの形態となる図２に示す第２位置（以下、「ベッド位置」と称する）との間で、Ｙ方向にスライド可能である。ソファー位置は、ベッド位置より奥側である。尚、"スライド床板２０がソファー位置とベッド位置との間でスライド可能"とは、スライド床板２０がソファー位置とベッド位置との間のみでしかスライドできないことを意味する表現ではない。例えば、本実施例では、一例として、スライド床板２０は、本体１０に対してソファー位置より更に奥側へはスライド不能であるが、本体１０に対してベッド位置より更に手間側へはスライド可能である（図３参照）。このため、本実施例では、ベッド位置は、スライド床板２０のスライドストローク中の途中の位置に対応する。
【００２９】
スライド床板２０は、ソファー位置にあるとき、図４に示すように、上面視（Ｚ方向に視たビュー）で水平台１４と重なる。尚、スライド床板２０における水平台１４と重なる部位は、スライド床板２０の奥側の一部（即ち水平台１４の下側に来る部位）である。これにより、後述のように、マットレス３０におけるソファーとして利用できるＹ方向の実効幅Ｌ１（図４参照）を、マットレス３０のＹ方向の全幅Ｌ０よりも有意に小さくして、ソファーの座部として適切なＹ方向の幅（奥行き寸法）を実現できる。尚、図４では、スライド床板２０は、上面視で最大限に水平台１４と重なっているが、ユーザの好みに応じて、より少ない量だけ上面視で最大限に水平台１４と重なる使用態様も可能である。
【００３０】
スライド床板２０は、ベッド位置にあるとき、図５Ａ及び図５Ｂに示すように、上面視で水平台１４と略重ならない。これにより、水平台１４の下側に収納空間７０が形成される。
【００３１】
マットレス３０は、スライド床板２０に載置可能である。即ち、マットレス３０は、家具１の使用状態では、スライド床板２０に載置される。以下では、特に言及しない限り、マットレス３０と他の要素との位置関係については、スライド床板２０に載置された状態のマットレス３０に関する。マットレス３０は、上面視でスライド床板２０に対応した矩形の外形を有する。即ち、マットレス３０及びスライド床板２０は、上面視で略同じ矩形の外形を有する。典型的には、マットレス３０及びスライド床板２０は、人が横たわることができるＸ方向の長さとＹ方向の幅Ｌ０を有する。本実施例では、一例としてシングルベッドのサイズに対応し、例えば、マットレス３０及びスライド床板２０は、Ｘ方向の長さが約２ｍ程度であり、Ｙ方向の幅が約１ｍ程度であってよい。また、マットレス３０及びスライド床板２０のＸ方向の長さは、両側の第１側板１１間の距離に略等しく、マットレス３０及びスライド床板２０のＹ方向の幅Ｌ０は、第１側板１１のＹ方向の長さに略等しい。
【００３２】
マットレス３０は、水平台１４の第２板状部１４２の下端より下側に上側表面が延在する。即ち、マットレス３０の上側表面の高さＨ４は、図５Ａに示すように、水平台１４の第２板状部１４２の下端の高さ（＝所定高さＨ３）よりも低い。これにより、水平台１４の第２板状部１４２の下端とマットレス３０の上側表面との間のクリアランスΔ１が設定される（図５Ａ参照）。これにより、スライド床板２０は、マットレス３０が水平台１４の下側で水平台１４と干渉せずに、ソファー位置とベッド位置との間でスライド可能となる。クリアランスΔ１は、例えばマットレス３０上に載置されうる補助的なマット類の厚み分を考慮して設定されてよい。クリアランスΔ１は、例えば８ｃｍ程度であってよい。
【００３３】
マットレス３０は、家具１がソファーの形態であるとき、ソファーに着座するユーザにとって座部となる。マットレス３０は、家具１がソファーの形態であるとき、第２側板１２にＹ方向に当接してもよい。これにより、例えば勢いよく着座した時でもマットレス３０の奥側への移動（スライド床板２０に対するずれ）が防止される。
【００３４】
具体的には、家具１がソファーの形態であるとき、マットレス３０の奥側の端面は、第２側板１２にＹ方向で当接する。尚、この際（即ちスライド床板２０がソファー位置にあるとき）、スライド床板２０の奥側の端面は、第２側板１２に対してＹ方向で僅かに離間してもよい。家具１がソファーの形態であるとき、マットレス３０におけるソファーとして利用できるＹ方向の実効幅Ｌ１（図４参照）は、マットレス３０のＹ方向の幅Ｌ０から水平台１４のＹ方向の幅Ｌ５を引いた長さに対応する。尚、本明細書において、特に言及しない限り、「ある長さがある長さに対応する」とは、両長さが略等しくなる態様で、互いに対して相関している関係を意味する。実効幅Ｌ１は、背凭れクッションとしての機能する状態のメインクッション４０の手前側の縁部までの距離Ｌ２が、ソファーに着座するユーザにとって快適な座り心地となるように設定される。例えば、実効幅Ｌ１は、距離Ｌ２が約５０〜６０ｃｍ程度となるように設定されてよい。
【００３５】
マットレス３０は、家具１がベッドの形態であるとき、ベッドに横たわるユーザの身体全体を支持する部位となる。マットレス３０は、家具１がベッドの形態であるとき、図５Ｂに示すように、収納空間７０にＹ方向に接する。即ち、家具１がベッドの形態であるとき、Ｙ方向でマットレス３０と収納空間７０との間には、本体１０に係る部材が介在しない（図８Ａ等で示す比較例と対照）。従って、収納空間７０内にメインクッション４０が収納された状態では、家具１がベッドの形態であるとき、マットレス３０は、図５Ａに示すように、メインクッション４０にＹ方向に接する。換言すると、ベッド位置とは、スライド床板２０上のマットレス３０が収納空間７０内のメインクッション４０にＹ方向に接するときのスライド床板２０の位置に対応する。
【００３６】
家具１がベッドの形態であるとき、図５Ａに示すように、マットレス３０におけるベッドとして利用できるＹ方向の実効幅Ｌ４（図５Ａ参照）は、マットレス３０のＹ方向の幅Ｌ０と、スライド床板２０がベッド位置にあるときのマットレス３０から第２側板１２までのＹ方向の距離Ｌ６とを足した値から、水平台１４のＹ方向の幅Ｌ５を引いた長さ（＝Ｌ０＋Ｌ６−Ｌ５））に対応する。実効幅Ｌ４は、好ましくは、マットレス３０のＹ方向の幅Ｌ０と略等しくなるように設定される。例えば、水平台１４のＹ方向の幅Ｌ５とメインクッション４０のＹ方向の幅Ｌ３とが略等しくされることで、実効幅Ｌ４がマットレス３０のＹ方向の幅Ｌ０と略等しくされてもよい。
【００３７】
家具１が中間状態であるとき、図６に示すように、水平台１４の第２板状部１４２の下端とマットレス３０の上側表面との間には、入口隙間Δ２（隙間の一例）が形成される。入口隙間Δ２は、収納空間７０への又は収納空間７０からのメインクッション４０の出し入れの作業性が良好になるようなサイズに設定される。スライド床板２０のスライドストロークは、入口隙間Δ２がメインクッション４０のＹ方向の幅Ｌ３以上となる中間状態が実現されるように設計される。
【００３８】
メインクッション４０は、家具１がソファーの形態であるとき、図１に示すように、水平台１４の第２板状部１４２（手前側の表面）に当接される態様でマットレス３０に載置可能である。この状態では、メインクッション４０は、奥側が水平台１４の第２板状部１４２に支持され、背凭れクッションとして機能する。
【００３９】
メインクッション４０は、好ましくは、背凭れクッションとしての機能を重視して形成される。例えば、メインクッション４０は、ウレタン材料の部位を含んでよい。また、メインクッション４０は、図１に示すように、Ｘ方向両側の第１側板１１の間に延在する。尚、本実施例では、一例として、メインクッション４０は、２つあり、２つがＸ方向に並ぶことで、Ｘ方向両側の第１側板１１の間の全体をカバーする。また、メインクッション４０は、図７に示すように、Ｘ方向に視たとき、上側が奥側に倒れる向きで傾斜した形態を有する。これにより、メインクッション４０が略直方体である形態である場合に比べて、背凭れクッションとしての機能が向上する。また、メインクッション４０は、図７に示すように、下端面４０２が平面状である。これにより、メインクッション４０を安定した姿勢でマットレス３０に載置し易くなる。尚、本明細書において、メインクッション４０の各寸法（例えばＹ方向の幅Ｌ３等）については、下端面４０２がＸＹ平面内にあるときの姿勢での各寸法を意味する。但し、メインクッション４０は、下端面４０２がマットレス３０の上側表面に対して傾斜する態様で載置されてもよい（例えば、メインクッション４０の下端面４０２の手前側の縁部だけがマットレス３０の上側表面に接触する向きで傾斜して載置されてもよい）。
【００４０】
メインクッション４０は、図１に示すように、背凭れクッションとしての機能を高めるために必要な高さＨ５を有する。本実施例では、一例として、メインクッション４０は、背凭れクッションとしての機能する状態で、図１に示すように、水平台１４より上側まで延在する。これにより、手前側から視たときに水平台１４がメインクッション４０により隠れるので、外観が良好となる。
【００４１】
メインクッション４０は、好ましくは、マットレス３０と同じ表地（表面素材）により形成される。表地は、例えばファブリック素材であるが、本革や合成皮革等であってもよい。これにより、統一感が生じ、商品性が向上する。
【００４２】
メインクッション４０は、上述のように、収納空間７０に収納可能である（図５Ａ参照）。メインクッション４０は、収納空間７０に所定姿勢で収納可能である。所定姿勢は、例えば、背凭れとして機能するときの姿勢と同じである。より具体的には、メインクッション４０は、下端面４０２が床面にＺ方向に面接触する姿勢で収納される。但し、メインクッション４０は、図５Ａに示すように、スライド床板２０のベッド位置に依存して、若干変形された状態で収納することもできる。或いは、メインクッション４０は、下端面４０２が床面に対して傾斜する態様で収納されてもよい（例えば、メインクッション４０の下端面４０２の手前側の縁部だけが床面に接触する向きで傾斜して収納されてもよい）。以下では、収納状態のメインクッション４０とは、収納空間７０に所定姿勢で収納された状態のメインクッション４０を意味する。
【００４３】
メインクッション４０のＹ方向の幅Ｌ３は、図５Ａに示すように、水平台１４のＹ方向の幅Ｌ５に略等しい（即ち、Ｌ３≒Ｌ５である）。幅Ｌ３が幅Ｌ５に略等しいとは、収納状態のメインクッション４０が水平台１４の下側に実質的に過不足なく収納されている状態を実現できる関係であればよく、差が例えば１５ｍｍ以下であることを意味する。例えば、メインクッション４０のＹ方向の幅Ｌ３は、水平台１４のＹ方向の幅Ｌ５よりも、１０ｍｍ程度短くてもよい。また、メインクッション４０のＹ方向の幅Ｌ３は、図５Ａに示すように、スライド床板２０がベッド位置にあるときのマットレス３０から第２側板１２までのＹ方向の距離Ｌ６に略等しい（即ち、Ｌ３≒Ｌ６である）。幅Ｌ３が幅Ｌ６に略等しいとは、スライド床板２０がベッド位置にあるときに収納空間７０内にメインクッション４０のみが過不足なく収納されている状態を実現できる関係であればよい。これにより、距離Ｌ６が必要以上に大きくならず、ベッドの形態のときの家具１のＹ方向のサイズが必要以上に大きくなることを防止できる。
【００４４】
また、メインクッション４０の高さＨ５（図５Ａ参照）は、好ましくは、マットレス３０の上側表面の高さＨ４よりも有意に高い。この場合、手前側から視て、水平台１４の第２板状部１４２の下端とマットレス３０の上側表面との間のクリアランスΔ１（図５Ａ参照）を介して、収納状態のメインクッション４０の上側端部が可視となるので、家具１がベッドの形態であるときのマットレス３０の奥側での外観が向上する。具体的には、メインクッション４０の高さＨ５がマットレス３０の上側表面の高さＨ４以下である場合、手前側から視て、水平台１４の第２板状部１４２の下端とマットレス３０の上側表面との間のクリアランスΔ１に起因して、収納状態のメインクッション４０より上側の空洞が可視となり易い。この点、メインクッション４０の高さＨ５がマットレス３０の上側表面の高さＨ４よりも高い場合は、空洞に代えてメインクッション４０の上側端部が可視となるので、外観が向上する。かかる外観の向上は、メインクッション４０とマットレス３０とが同じ表地（表面素材）により形成される場合に、より顕著となる。例えば、メインクッション４０の高さＨ５は、マットレス３０の上側表面の高さＨ４よりも７ｃｍ程度以上高くてもよい。
【００４５】
サブクッション５０は、メインクッション４０よりも小さいサイズである。サブクッション５０は、枕などに利用できる。サブクッション５０は、複数個設けられてよい。尚、変形例では、サブクッション５０は省略されてもよい。
【００４６】
本実施例において、ユーザは、以下の通り家具１の形態を変化させて使用できる。
【００４７】
ソファーの形態からベッドの形態に形態を変化させる際には、ユーザは、スライド床板２０の手前側を手で持って、図３に示したように、スライド床板２０を手前側に大きくスライドさせる。そして、ユーザは、図３に示したように、水平台１４の下側の収納空間７０に、ベッドの形態では不要なメインクッション４０を収納する。
【００４８】
次に、ユーザは、図２に示したベッド位置までスライド床板２０を奥側へスライドさせる。この場合のスライド床板２０は、図５Ａに示すように、マットレス３０が収納空間７０内のメインクッション４０に接するまでスライドされる。これにより、ソファーの形態からベッドの形態へのスライド作業が終了となる。
【００４９】
逆に、ユーザは、ベッドの形態からのソファー形態に形態を変化させる際には、スライド床板２０の手前側を手で持って、図３に示したように、スライド床板２０を手前側に大きくスライドさせる。そして、ユーザは、水平台１４の下側の収納空間７０内のメインクッション４０を取り出す。
【００５０】
次に、ユーザは、図１に示したソファー位置までスライド床板２０を奥側へスライドさせる。この場合のスライド床板２０は、図４に示すように、後述の床板下桟２２０がサイドフレーム１１３にＹ方向で当接するまでスライドさせる。そして、ユーザは、メインクッション４０を、図１に示す姿勢（背凭れとして機能できる姿勢）でマットレス３０上に載置する。これにより、ベッドの形態からソファーの形態へのスライド作業が終了となる。
【００５１】
このように、本実施例によれば、ユーザは、比較的簡易な作業で、ソファーの形態からベッドの形態へ、又は、ベッドの形態からのソファー形態へ、家具１の形態を変化させることができる。
【００５２】
また、本実施例によれば、上述のように、家具１がベッドの形態であるとき、水平台１４より下側に、メインクッション４０が収納可能な収納空間７０が形成されるので、家具１がベッドの形態であるときにメインクッション４０を、空いた収納空間７０内に収納できる。従って、家具１をベッドの形態で使用するユーザは、メインクッション４０の置場に困ることがなく、収納用のスペースを別途確保する必要が無く、利便性が向上する。
【００５３】
また、本実施例によれば、上述のように、水平台１４が棚として機能するので、ユーザは水平台１４に物を置くことができ、利便性が向上する。
【００５４】
ここで、比較例を用いて、本実施例の効果について更に説明する。
【００５５】
図８Ａ乃至図８Ｃは、比較例による家具２の概略説明図であり、図４等に示す断面と対比される断面図である。図８Ａは、ソファーの形態の家具２を示し、図８Ｂは、ベッドの形態の家具２を示し、図８Ｃは、中間状態の家具２を示す。
【００５６】
比較例では、図８Ａ乃至図８Ｃに示すように、水平台の側板９００は、下端に、Ｙ方向のレール９０と、下側に更に延在する延長側板９２とを有する。延長側板９２は、Ｘ方向の回動軸９１まわりに回動可能である。回動軸９１は、レール９０上をＹ方向にスライド可能である。従って、比較例では、図８Ａに示すように、延長側板９２が奥側にスライドすることで、ソファーの形態をとることができ、図８Ｂに示すように、延長側板９２が手前側にスライドすることで、水平台の下側にメインクッションを収納した状態のベッドの形態をとることができる。
【００５７】
かかる比較例では、水平台の側板９００の延長側板９２が可動部位となるので、比較的複雑な構造となる。即ち、延長側板９２をスライド可能かつ回動可能とする機構（例えばレール９０や回動軸９１等）に起因して、構造が比較的複雑である。このため、部品点数やコストの増大を招くほか、水平台の下側における空間（例えば背凭れ用のメインクッションの収納用の空間）の確保が難しくなる。例えば、図８Ａ乃至図８Ｃに示す例では、家具２のＹ方向のサイズを家具１と同じにしつつ、水平台の下側に家具１と同一のサイズ空間を確保するためには、延長側板９２の厚み分だけ、マットレスのＹ方向の幅を小さくする必要がある。これは、家具１と同じＹ方向のサイズのマットレスを載置可能とするためには、家具２のＹ方向のサイズが増加することを意味する。また、図８Ｃに模式的に示すように、メインクッションの出し入れの際に、延長側板９２を水平に近い角度まで手前側に回動させる必要があり、スライド床板及びマットレスの手前側への引き出し量が比較的大きくなる。
【００５８】
この点、本実施例によれば、かかる比較例に比較して、比較的簡易な構造であり、部品点数やコストの観点から有利となる。また、延長側板９２を不要とすることで、ベッドの形態のときの家具１のＹ方向の幅を効率的に小さくでき、家具１の必要以上の大型化を防止できる。更に、メインクッションの出し入れの際に必要な入口隙間Δ２を確保するためには、スライド床板２０を最小限の距離だけ引き出すだけでよいので（比較例で必要とされる延長側板９２の回動が不要であるので）、作業スペースが小さくて済みかつ作業性が良好である。
【００５９】
次に、図９乃至図１５Ｂ、及び前出の図４及び図５Ａを参照して、家具１の本体１０及びスライド床板２０を更に説明する。以下、家具１のうちの、本体１０及びスライド床板２０が組み合わされたものを、「ベッドソファー本体」と称する。
【００６０】
図９乃至１０は、ベッドソファー本体の斜視図であり、図１２は、スライド床板２０の下側を視る斜視図であり、図１３は、ベッドソファー本体の詳細を示す３面図であり、図１４は、スライド床板２０の手前側の部位の説明図である。また、図１５Ａ及び図１５Ｂは、本体１０の一部を分解した説明図である。尚、図１５Ｂには、参考用として、サイドフレーム１１３の組み付け方向が矢印で示されている。尚、図９乃至１１は、概略図であり、図１３等で示す詳細図で示される要素の一部の図示は省略されている。また、図１２では、スライド床板２０の内部構造を示すため、スライド床板２０の下側板部材２８２の一部が切開されたＱ部が示される。また、図１４では、説明用に、ネジ等が透視で示される。
【００６１】
本体１０は、図９乃至１０に示すように、スライド床板２０をスライド可能に支持する。具体的には、本体１０は、中仕切り１１１（第１支持部材の一例）と、両側の第１側板１１に取り付けられる側方支持部材１１２（第２支持部材の一例）と、サイドフレーム１１３（第３支持部材の一例）を備える。
【００６２】
中仕切り１１１は、図１１及び図１５Ａに示すように、Ｙ方向に延在する。中仕切り１１１は、Ｘ方向両側の第１側板１１の間の中央位置に設けられる。本実施例では、一例として、中仕切り１１１は、Ｘ方向に視たとき、奥側は第２側板１２まで延在し、手前側は第１側板１１の手前側縁部より奥側で終端する。中仕切り１１１は、第２側板１２にボルト等で固定される。従って、中仕切り１１１は、上述した収納空間７０の下側をＸ方向で所定間隔で仕切る。所定間隔は、好ましくは、等間隔であり、本実施例では、Ｘ方向両側の第１側板１１の間のＸ方向の距離の半分である。中仕切り１１１で下側が仕切られた収納空間７０のそれぞれには、２つのメインクッション４０のそれぞれが収納される。尚、変形例では、中仕切り１１１は、Ｘ方向の異なる位置に複数個設けられてもよい。
【００６３】
中仕切り１１１は、上述のように、収納空間７０の下側をＸ方向で所定間隔で仕切る。従って、中仕切り１１１が１つのときは、メインクッション４０は２つであり、中仕切り１１１が２つのときは、メインクッション４０は３つであるといった具合に、メインクッション４０の数は、中仕切り１１１の数より１つだけ多い関係となる。メインクッション４０のＸ方向の長さは、所定間隔に対応する。これにより、メインクッション４０のそれぞれの収納位置が明確になり、メインクッション４０の収納作業が容易となる。
【００６４】
中仕切り１１１は、スライド床板２０の下側表面をスライド可能に支持する。例えば、中仕切り１１１は、断面が矩形の角材（平角の板材）であり、上側表面がスライド床板２０の下側表面に面接触する態様で、スライド床板２０をスライド可能に支持する。これにより、Ｘ方向両側以外に支持部が形成されるので、スライド床板２０に対する本体１０による支持能力を高めることができる。
【００６５】
側方支持部材１１２は、図１５Ａに示すように、例えば第１側板１１にボルト等により固定される。側方支持部材１１２は、中仕切り１１１と平行に、Ｙ方向に延在する。側方支持部材１１２は、Ｘ方向に視たとき、奥側は第２側板１２より手前側で終端し、手前側は第１側板１１の手前側縁部より奥側で終端する。
【００６６】
側方支持部材１１２は、スライド床板２０の下側表面をスライド可能に支持する。例えば、側方支持部材１１２は、断面が矩形の角材であり、上側表面がスライド床板２０の下側表面に面接触する態様で、スライド床板２０をスライド可能に支持する。
【００６７】
サイドフレーム１１３は、図１５Ｂに示すように、Ｘ方向に延在する。サイドフレーム１１３は、水平台１４と同様、Ｘ方向両側の第１側板１１の間に延在する。サイドフレーム１１３は、Ｘ方向両側の端部でそれぞれ第１側板１１にボルト等で固定される。また、サイドフレーム１１３は、中仕切り１１１の手前側端部にボルト等で固定される。これにより、中仕切り１１１，側方支持部材１１２、及びサイドフレーム１１３が井桁状に結合されるので、本体１０の支持部（スライド床板２０の支持部）全体としての剛性を高めることができる。
【００６８】
このように、本実施例によれば、本体１０は、スライド床板２０をスライド可能に支持するので、スライド床板２０全体が床面をスライドするように形成される構成に比べて、ユーザによるスライド床板２０のスライド作業が容易となる。スライド床板２０全体が床面をスライドするように形成される構成としては、例えば、中仕切り１１１、側方支持部材１１２、及びサイドフレーム１１３がスライド床板２０側に設けられる構成がある。かかる構成では、スライド床板の重量が重くなり、その分だけ、摺動抵抗も増加し、ユーザにとってスライド床板のスライド作業の負荷が大きくなる。これに対して、本実施例によれば、本体１０側に中仕切り１１１、側方支持部材１１２、及びサイドフレーム１１３が設けられるので、スライド床板２０の重量が比較的軽く、ユーザによるスライド床板２０のスライド作業が容易となる。このため、例えば、スライド床板２０と中仕切り１１１、側方支持部材１１２、及びサイドフレーム１１３との間に、摩擦低減手段（例えばローラなど）を設けなくても、比較的低い摺動抵抗を実現できる。但し、変形例では、摩擦低減手段が設けられてもよいし、中仕切り１１１、側方支持部材１１２、及びサイドフレーム１１３の一部又は全部がスライド床板２０側に設けられてもよい。
【００６９】
また、本体１０は、図１３に示すように、第２側板１２に配線用の穴８０を有するとともに、水平台１４の第１板状部１４１に配線用の穴８１を有する。本実施例では、上述のように、水平台１４は、棚として機能し、照明器具などの配線が必要な電子機器が載置されうる。従って、ユーザは、電子機器の電気コードを、穴８０、８１に通して配索できる。これにより、見栄えが良好な電気コードの配索が容易となる。
【００７０】
スライド床板２０は、図９乃至１０に示すように、例えば、２つのスライド床板部２１１，２１２をＸ方向に結合することで形成されてもよい。これにより、家具１の組み立て前の搬送が容易となる。２つのスライド床板部２１１，２１２は、例えばＸ方向で対称に形成される。
【００７１】
スライド床板２０は、図１２に模式的に示すように、上側板部材２８１と、下側板部材２８２と、補強部材２８３とを含む。補強部材２８３は、例えば断面が矩形の角材であり、Ｙ方向に延在する。補強部材２８３は、上下方向で上側板部材２８１及び下側板部材２８２の間に設けられかつ上側板部材２８１及び下側板部材２８２に結合される。補強部材２８３は、断面が矩形の角材であり、複数本設けられる。これにより、スライド床板２０の剛性を効率的に高めることができる。
【００７２】
スライド床板２０は、図１２に示すように、下側表面に、第２側板１２に平行に延在する床板下桟２２０（第４支持部材の一例）を備える。床板下桟２２０は、Ｘ方向に延在する。床板下桟２２０は、スライド床板２０のＸ方向の全幅にわたり延在する。床板下桟２２０は、図１４に示すように、スライド床板２０のスライド床板部２１１，２１２にボルト等で固定される。床板下桟２２０は、図１２に示すように、スライド床板２０における手前側の縁部２３０に対して奥側にオフセットした位置に設けられる。
【００７３】
床板下桟２２０の下端面には、図１４に示すように、アジャスタ２２１が取り付けられてよい。アジャスタ２２１は、床板下桟２２０の下端面と床面との高さ関係を調整するために用いられる。尚、床板下桟２２０の下端面は、床面より僅かに高い位置に来るように調整されてもよい。
【００７４】
床板下桟２２０は、スライド床板２０のスライドストロークの奥側の限界位置（即ち、ソファー位置）を決めるストッパとして機能する。具体的には、図４及び図５Ａに示すように、図５Ａに示すベッド位置からスライド床板２０が奥側へとスライドされると、床板下桟２２０が本体１０のサイドフレーム１１３にＹ方向に当接することで、スライド床板２０の更なる奥側へのスライドが不能となる。このように、床板下桟２２０は、サイドフレーム１１３と協動して、本体１０に対するスライド床板２０の奥側へのスライドをソファー位置で停止させるストッパとして機能する。尚、この際、スライド床板２０の奥側の端面は、第２側板１２に対してＹ方向で僅かに離間してよい。
【００７５】
スライド床板２０は、図１２に示すように、下側表面における床板下桟２２０より手前側に、凸部２４０を有する。凸部２４０は、スライド作業の際の取っ手（ユーザによる持ち手）として機能する。即ち、ユーザは、凸部２４０を持ってスライド床板２０を手前側に出したり奥側に入れたりすることができる。これにより、スライド床板２０のスライド操作の作業性が良好となる。
【００７６】
スライド床板２０は、図１２に示すように、下側表面に下方に突出する係止部２５０を有する。係止部２５０は、スライド床板２０を手前側にスライドさせた際に本体１０のサイドフレーム１１３にＹ方向で当接することで、スライド床板２０の手前側への更なるスライドを係止する。係止部２５０がサイドフレーム１１３にＹ方向で当接するときのスライド床板２０の位置（本体１０に対する位置）を、「引き出し限界位置」（第３位置の一例）と称する。このように、係止部２５０は、サイドフレーム１１３と協動して、本体１０に対するスライド床板２０の手前側へのスライドを引き出し限界位置で停止させるストッパとして機能する。これにより、ユーザが必要以上にスライド床板２０を手前に引き出してしまうことを防止できる。
【００７７】
ここで、引き出し限界位置は、ベッド位置より手前側である。また、引き出し限界位置は、入口隙間Δ２が形成される位置、即ち図３に示した中間状態でのスライド床板２０の位置（本体１０に対する位置）と同じであってよいし、入口隙間Δ２よりも大きな隙間が形成される位置であってもよい。
【００７８】
次に、本実施例によるマットレス３０の内部構造について説明する。
【００７９】
マットレス３０は、好ましくは、スプリングコイル内蔵のマットレスであり、スプリングコイルより上側にウレタン材料の部位を含む。また、マットレス３０は、マットレス３０の角部を囲む金属ワイヤを含まない。スプリングコイルを内蔵することで、スプリングコイルを内蔵しないタイプのマットレスに比べて、寝心地が良好となる。他方、スプリングコイルを内蔵すると、ソファーの形態で使用する際の座り心地が悪化し、ユーザの膝への負担が大きくなりすい。しかしながら、マットレス３０は、スプリングコイルより上側にウレタン材料の部位を含むことで、スプリングコイルや他の金属ワイヤ等に起因した座り心地の悪化を低減できる。この結果、寝心地と座り心地の双方を高めることができる。
【００８０】
図１６は、マットレス３０の内部構造を概略的に示す断面図である。尚、図１６は、ＸＺ面による断面を示すが、ＹＺ面による断面も実質的に同一である。
【００８１】
マットレス３０は、図１６に示すように、上側から順に、表地層３０１と、第１上側層３０２と、第２上側層３０３と、第３上側層３０４と、コイル層３０５と、底面層３０６とを含む。尚、表地層３０１は、マットレス３０の本体の上側のみならず側面を覆う。尚、マットレス３０の厚み（上下方向の寸法）は、例えば１９０ｍｍ程度である。
【００８２】
コイル層３０５は、スプリングコイル３０５１を含む。スプリングコイル３０５１は、例えばポケットコイルの形態であり、配列方法は、例えば平行配列であるが、交互配列であってもよい。
【００８３】
図１７は、コイル層３０５のコイル配列を概略的に示す説明図であり、上面視でスプリングコイル３０５１の配列態様を模式的に示す図である。
【００８４】
図１７に示す例では、コイル層３０５は、平行配列でスプリングコイル３０５１を含む。スプリングコイル３０５１は、２種類のスプリングコイル３０５１Ａ，３０５１Ｂを含む。スプリングコイル３０５１Ａの配置範囲は、図１７の示す範囲Ｐ１外であり、スプリングコイル３０５１Ｂの配置範囲は、図１７の示す範囲Ｐ１内である。即ち、スプリングコイル３０５１Ｂは、中央部に配置され、スプリングコイル３０５１Ａは、外周部に配置される。
【００８５】
スプリングコイル３０５１Ａは、例えばワイヤ径（鋼線径）が２．２ｍｍであり、コイル径が６２ｍｍであり、コイル高さは自由長で１７０ｍｍでありポケット収容時は１３０ｍｍであり、巻き数は５である。
【００８６】
スプリングコイル３０５１Ｂは、例えばワイヤ径（鋼線径）が１．８ｍｍであり、コイル径が６２ｍｍであり、コイル高さは自由長で１７０ｍｍでありポケット収容時は１３０ｍｍであり、巻き数は５である。
【００８７】
このように２種類のスプリングコイル３０５１Ａ，３０５１Ｂを用いかつワイヤ径が小さい方（即ちバネ係数が低い方）のスプリングコイル３０５１Ｂを中央部に配置することで、寝心地の向上と座り心地の向上の両立を図ることができる。
【００８８】
図１８は、コイル層３０５の外周の角部の構成の詳細の一例を示す図であり、ＸＹ平面で切断した際の断面図である。
【００８９】
コイル層３０５の外周の角部には、補強部３０５４が設けられる。補強部３０５４は、ウレタン素材により形成される。尚、補強部３０５４は、更にウレタン素材のカバーにより覆われてもよい。これにより、補強部３０５４が金属製である場合に比べて、ユーザの膝への負担を低減でき、座り心地を高めることができる。
【００９０】
次に、表１を参照して、表地層３０１、第１上側層３０２、第２上側層３０３、第３上側層３０４、及び底面層３０６の組成等を説明する。
【００９１】
表１は、表地層３０１、第１上側層３０２、第２上側層３０３、第３上側層３０４、及び底面層３０６の一例を示す表図である。尚、表１において、密度の単位はｇ／ｍ２とし、厚みの単位はｍｍとする。また、ウレタンに関連した密度Ｄ＊＊（＊＊は数値）は、＊＊kg/m3とする。また、以下の表で、"層構成"が複数の層からなる場合の層構成を示し、表内の上側にあるほど上側に位置する。
【００９２】
【表１】
2018175731.tif 000003
尚、表１に示されていないが、コイル層３０５と第３上側層３０４との間には、不織布の層が介在されてもよい。同様に、コイル層３０５と底面層３０６との間には、不織布の層が介在されてもよい。この場合、不織布の層は、例えば、密度が80ｇ／ｍ２でありかつ厚みが0.25ｍｍであってよい。
【００９３】
このように、本実施例によれば、マットレス３０は、コイル層３０５より上側にウレタン材料の部位（例えば表地層３０１や、第２上側層３０３、第３上側層３０４）を有するので、スプリングコイルによる寝心地の向上と、ウレタン材料の部位による座り寝心地の向上とを図ることができる。また、本実施例によれば、コイル層３０５の外周の角部等に金属材料を用いないため、マットレス３０を丸めることも可能となる。例えば、マットレス３０をＸ方向が周方向になる向きで丸めることで、マットレス３０の収納性や可搬性が良好となる。
【００９４】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００９５】
例えば、上述した実施例では、ベッド位置では、マットレス３０がメインクッション４０にＹ方向に当接するが、これに限れない。例えばスライド床板２０の方がマットレス３０よりも大きい外形を有する場合、ベッド位置では、スライド床板２０がメインクッション４０にＹ方向に当接してもよい。換言すると、ベッド位置とは、スライド床板２０が収納空間７０内のメインクッション４０にＹ方向に接するときのスライド床板２０の位置に対応してもよい。
【符号の説明】
【００９６】
１  家具
１０  本体
１１  第１側板
１２  第２側板
１４  水平台
２０  スライド床板
３０  マットレス
４０  メインクッション
５０  サブクッション
７０  収納空間
８０  穴
８１  穴
１１１  中仕切り
１１２  側方支持部材
１１３  サイドフレーム
１４１  第１板状部
１４２  第２板状部
１４３  第３板状部
１４４  空間
２１１  スライド床板部
２１２  スライド床板部
２２０  床板下桟
２２１  アジャスタ
２３０  縁部
２４０  凸部
２５０  係止部
２８１  上側板部材
２８２  下側板部材
２８３  補強部材
【図１】
2018175731.tif 000004
【図２】
2018175731.tif 000005
【図３】
2018175731.tif 000006
【図４】
2018175731.tif 000007
【図５Ａ】
2018175731.tif 000008
【図５Ｂ】
2018175731.tif 000009
【図６】
2018175731.tif 000010
【図７】
2018175731.tif 000011
【図８Ａ】
2018175731.tif 000012
【図８Ｂ】
2018175731.tif 000013
【図８Ｃ】
2018175731.tif 000014
【図９】
2018175731.tif 000015
【図１０】
2018175731.tif 000016
【図１１】
2018175731.tif 000017
【図１２】
2018175731.tif 000018
【図１３】
2018175731.tif 000019
【図１４】
2018175731.tif 000020
【図１５Ａ】
2018175731.tif 000021
【図１５Ｂ】
2018175731.tif 000022
【図１６】
2018175731.tif 000023
【図１７】
2018175731.tif 000024
【図１８】
2018175731.tif 000025
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
第１方向の両側に第１側板、前記第１方向及び上下方向に垂直な方向である第２方向の第１側に第２側板、及び、前記第２側板から前記第２方向の前記第１側とは逆側の第２側に張り出した水平面を形成する水平台を有する本体と、
前記本体に対して、上面視で前記水平台と重なる第１位置と、前記第１位置より前記第２側である第２位置との間で前記第２方向にスライド可能な床板部と、
前記床板部に載置可能であるマットレス部と、
前記床板部が前記第１位置にある状態において、前記水平台に前記第２方向に当接される態様で前記マットレス部に載置可能であるクッション部材とを含み、
前記マットレス部の上側表面は、前記床板部に載置された載置状態において、前記水平台における前記第２方向の前記第２側の側面の下端より下側に延在し、
前記床板部が前記第２位置にある状態において、前記水平台の水平面より下側に、前記クッション部材が収納可能でありかつ前記載置状態の前記マットレス部に前記第２方向に接する空間が形成され、
前記床板部が前記第１位置にある状態において、前記空間に、前記載置状態の前記マットレス部の前記第２方向の前記第２側の一部が収納され、
前記クッション部材は、前記空間に所定姿勢で収納可能であり、
前記空間における前記所定姿勢での前記クッション部材の上端は、前記載置状態の前記マットレス部の上側表面より上側に位置する、家具。
【請求項２】
前記マットレス部及び前記クッション部材は、表面素材が同一である、請求項１に記載の家具。
【請求項３】
前記マットレス部は、スプリングコイル内蔵型であり、スプリングコイルより上側にウレタン材料の部位を含む、請求項１に記載の家具。
【請求項４】
第１方向の両側に第１側板、前記第１方向及び上下方向に垂直な方向である第２方向の第１側に第２側板、及び、前記第２側板から前記第２方向の前記第１側とは逆側の第２側に張り出した水平面を形成する水平台を有する本体と、
前記本体に対して、上面視で前記水平台と重なる第１位置と、前記第１位置より前記第２側である第２位置との間で前記第２方向にスライド可能な床板部と、
前記床板部に載置可能であるマットレス部と、
前記床板部が前記第１位置にある状態において、前記水平台に前記第２方向に当接される態様で前記マットレス部に載置可能であるクッション部材とを含み、
前記マットレス部の上側表面は、前記床板部に載置された載置状態において、前記水平台における前記第２方向の前記第２側の側面の下端より下側に延在し、
前記床板部が前記第２位置にある状態において、前記水平台の水平面より下側に、前記クッション部材が収納可能でありかつ前記載置状態の前記マットレス部に前記第２方向に接する空間が形成され、
前記床板部が前記第１位置にある状態において、前記空間に、前記載置状態の前記マットレス部の前記第２方向の前記第２側の一部が収納され、
前記クッション部材は、前記空間に所定姿勢で収納可能であり、
前記床板部が前記第２位置にある状態において、前記空間における前記所定姿勢での前記クッション部材の前記第２方向の長さは、前記第２側板と前記載置状態の前記マットレス部との間の長さに略等しい、家具。
【請求項５】
前記床板部が前記第２位置にある状態は、前記載置状態の前記マットレス部又は前記床板部が前記空間における前記所定姿勢での前記クッション部材に前記第２方向で接する状態であり、
前記床板部が前記第２位置にある状態において、前記空間における前記所定姿勢での前記クッション部材の前記第２方向の長さは、前記水平台の前記第２方向の長さに略等しい、請求項４に記載の家具。
【請求項６】
前記本体は、前記床板部をスライド可能に支持する、請求項１又は４に記載の家具。
【請求項７】
第１方向の両側に第１側板、前記第１方向及び上下方向に垂直な方向である第２方向の第１側に第２側板、及び、前記第２側板から前記第２方向の前記第１側とは逆側の第２側に張り出した水平面を形成する水平台を有する本体と、
前記本体に対して、上面視で前記水平台と重なる第１位置と、前記第１位置より前記第２側である第２位置との間で前記第２方向にスライド可能な床板部と、
前記床板部に載置可能であるマットレス部と、
前記床板部が前記第１位置にある状態において、前記水平台に前記第２方向に当接される態様で前記マットレス部に載置可能であるクッション部材とを含み、
前記マットレス部の上側表面は、前記床板部に載置された載置状態において、前記水平台における前記第２方向の前記第２側の側面の下端より下側に延在し、
前記床板部が前記第２位置にある状態において、前記水平台の水平面より下側に、前記クッション部材が収納可能でありかつ前記載置状態の前記マットレス部に前記第２方向に接する空間が形成され、
前記床板部が前記第１位置にある状態において、前記空間に、前記載置状態の前記マットレス部の前記第２方向の前記第２側の一部が収納され、
前記本体は、前記第１方向で前記第１側板の間の位置に、前記第２方向に延在する１つ以上の第１支持部材を更に有し、
前記第１支持部材は、前記床板部の下側表面をスライド可能に支持する、家具。
【請求項８】
前記本体は、前記第１側板に取り付けられる第２支持部材と、前記第２方向の前記第２側の端部に、前記第１方向に延在する第３支持部材とを更に有し、
前記第２支持部材及び前記第３支持部材は、それぞれ、前記床板部の下側表面をスライド可能に支持する、請求項７に記載の家具。
【請求項９】
前記床板部は、下側表面に、前記第２側板に平行に延在する第４支持部材を有し、
前記第４支持部材は、前記床板部における前記第２方向の前記第２側の縁部に対して前記第１側にオフセットした位置に設けられ、
前記床板部は、下側表面における前記第４支持部材より前記第２方向の前記第２側に、凸部を更に有する、請求項８に記載の家具。
【請求項１０】
前記本体は、前記第１位置と、前記第２位置より前記第２方向の前記第２側の第３位置との間で前記床板部をスライド可能に支持し、
前記床板部は、下側表面に下方に突出する係止部を有し、
前記係止部は、前記床板部が前記第３位置にある状態において、前記第３支持部材に前記第２方向で当接することで、前記床板部の前記第２方向の前記第２側へのスライドを係止する、請求項８又は９に記載の家具。
【請求項１１】
前記クッション部材は、前記空間に所定姿勢で収納可能であり、
前記床板部が前記第３位置にある状態において、前記水平台の前記側面と前記載置状態の前記マットレス部との間には、前記所定姿勢での前記クッション部材の前記第２方向の長さ以上の隙間が形成される、請求項１０に記載の家具。
【請求項１２】
前記第１支持部材は、前記第２側板に前記第２方向で当接し、前記空間における下側を前記第１方向で所定間隔で仕切り、
前記クッション部材は、前記第１支持部材の数より１つだけ多い数で設けられ、前記クッション部材のそれぞれは、前記第１方向の長さが前記所定間隔に対応する、請求項１０又は１１に記載の家具。
【請求項１３】
第１方向の両側に第１側板、前記第１方向及び上下方向に垂直な方向である第２方向の第１側に第２側板、及び、前記第２側板から前記第２方向の前記第１側とは逆側の第２側に張り出した水平面を形成する水平台を有する本体と、
前記本体に対して、上面視で前記水平台と重なる第１位置と、前記第１位置より前記第２側である第２位置との間で前記第２方向にスライド可能な床板部であって、マットレス部が載置可能な床板部とを含み、
前記床板部が前記第２位置にある状態において、前記水平台の水平面より下側に、前記床板部に載置された前記マットレス部に前記第２方向に接する空間が形成され、
前記本体は、前記第１方向で前記第１側板の間の位置に、前記第２方向に延在する１つ以上の第１支持部材を更に有し、
前記第１支持部材は、前記床板部の下側表面をスライド可能に支持する、ベッドソファー本体。
【手続補正３】
【補正対象書類名】明細書
【補正対象項目名】０００６
【補正方法】変更
【補正の内容】
【０００６】
１つの側面では、第１方向の両側に第１側板、前記第１方向及び上下方向に垂直な方向である第２方向の第１側に第２側板、及び、前記第２側板から前記第２方向の前記第１側とは逆側の第２側に張り出した水平面を形成する水平台を有する本体と、
前記本体に対して、上面視で前記水平台と重なる第１位置と、前記第１位置より前記第２側である第２位置との間で前記第２方向にスライド可能な床板部と、
前記床板部に載置可能であるマットレス部と、
前記床板部が前記第１位置にある状態において、前記水平台に前記第２方向に当接される態様で前記マットレス部に載置可能であるクッション部材とを含み、
前記マットレス部の上側表面は、前記床板部に載置された載置状態において、前記水平台における前記第２方向の前記第２側の側面の下端より下側に延在し、
前記床板部が前記第２位置にある状態において、前記水平台の水平面より下側に、前記クッション部材が収納可能でありかつ前記載置状態の前記マットレス部に前記第２方向に接する空間が形成され、
前記床板部が前記第１位置にある状態において、前記空間に、前記載置状態の前記マットレス部の前記第２方向の前記第２側の一部が収納され、
前記クッション部材は、前記空間に所定姿勢で収納可能であり、
前記空間における前記所定姿勢での前記クッション部材の上端は、前記載置状態の前記マットレス部の上側表面より上側に位置する、家具が提供される。